(57)【要約】  少なくとも四周を囲むように設けられた桟材１２，１２，１３，１４を有したパネル芯材１０のパネル厚さ方向両側に面材２，２が設けられた一方向に長尺なパネル１であって、前記桟材によって区画されたパネル内空間７に、パネル長手方向に対向するパネル幅方向に延びる横桟材間に架け渡すようにコア材１９を配したコア材配置領域９と、このコア材配置領域のパネル幅方向少なくとも一方側において前記コア材を配置していないコア材非配置領域８と、を設けている。
2020158229.tif 000002
【特許請求の範囲】
【請求項１】
少なくとも四周を囲むように設けられた桟材を有したパネル芯材のパネル厚さ方向両側に面材が設けられた一方向に長尺なパネルであって、
前記桟材によって区画されたパネル内空間に、パネル長手方向に対向するパネル幅方向に延びる横桟材間に架け渡すようにコア材を配したコア材配置領域と、このコア材配置領域のパネル幅方向少なくとも一方側において前記コア材を配置していないコア材非配置領域と、を設けていることを特徴とするパネル。
【請求項２】
請求項１において、
前記パネル芯材には、前記パネル内空間をパネル長手方向に複数に区画するように前記横桟材が設けられており、
前記コア材配置領域及び前記コア材非配置領域は、複数に区画されたそれぞれのパネル内空間に設けられていることを特徴とするパネル。
【請求項３】
請求項１または２において、
前記コア材配置領域は、パネル幅方向中心線を対称軸として線対称状となるように設けられていることを特徴とするパネル。
【請求項４】
請求項１乃至３のいずれか１項において、
パネル幅方向中央側に前記コア材配置領域を設け、該コア材配置領域とパネル幅方向両側を区画するパネル長手方向に延びる一対の縦桟材との間に前記コア材非配置領域を設けていることを特徴とするパネル。
【請求項５】
請求項１乃至４のいずれか１項において、
前記コア材配置領域は、前記パネル内空間の２５％〜６０％を占めるように設けられていることを特徴とするパネル。
【発明の詳細な説明】
【技術分野】
【０００１】
本発明は、建具や間仕切等として用いられるパネルに関する。
【背景技術】
【０００２】
従来より、無垢材等からなるパネルに比べて軽量化が図れることから、四周を囲む桟材を有した芯材に面材を貼着した構成とされたいわゆるフラッシュパネル状のパネルが知られている。このようなパネル内には、反り抑制等の観点からペーパーコア等のコア材が設けられている（例えば、下記特許文献１参照）。
【先行技術文献】
【特許文献】
【０００３】
【特許文献１】特開２００９−１７４２０４号公報
【発明の概要】
【発明が解決しようとする課題】
【０００４】
しかしながら、上記特許文献１に記載されたような従来のパネルにおいては、桟材によって囲まれた空間の略全域に亘ってコア材を配置した構成とされており、更なる改善が望まれる。【０００５】
本発明は、上記実情に鑑みてなされたものであり、反りの抑制が可能でありながらも、合理化を図り得るパネルを提供することを目的としている。
【課題を解決するための手段】
【０００６】
上記目的を達成するために、本発明に係るパネルは、少なくとも四周を囲むように設けられた桟材を有したパネル芯材のパネル厚さ方向両側に面材が設けられた一方向に長尺なパネルであって、前記桟材によって区画されたパネル内空間に、パネル長手方向に対向するパネル幅方向に延びる横桟材間に架け渡すようにコア材を配したコア材配置領域と、このコア材配置領域のパネル幅方向少なくとも一方側において前記コア材を配置していないコア材非配置領域と、を設けていることを特徴とする。
【発明の効果】
【０００７】
本発明に係るパネルは、上述のような構成としたことで、反りの抑制が可能でありながらも、合理化を図ることができる。
【図面の簡単な説明】
【０００８】
【図１】（ａ）は、本発明の一実施形態に係るパネルの一例を模式的に示す概略正面図、（ｂ）は、同パネルが備えるパネル芯材の一例を模式的に示す概略正面図である。
【図２】（ａ）は、同パネルの概略分解斜視図、（ｂ）は、本発明の他の実施形態に係るパネルの一例が備えるパネル芯材の一例を模式的に示す概略正面図である。
【図３】（ａ）は、本発明の更に他の実施形態に係るパネルの一例を模式的に示す概略正面図、（ｂ）は、同パネルが備えるパネル芯材の一例を模式的に示す概略正面図である。
【図４】（ａ）、（ｂ）は、本発明の更に他の実施形態に係るパネルの一例が備えるパネル芯材の一例をそれぞれ模式的に示す概略正面図である。
【発明を実施するための形態】
【０００９】
以下に本発明の実施の形態について、図面に基づいて説明する。
なお、以下の各実施形態では、各実施形態に係るパネルを施工した状態を基準として上下方向等の方向を説明する。
【００１０】
図１及び図２（ａ）は、第１実施形態に係るパネルの一例を模式的に示す図である。
本実施形態に係るパネル１は、図１（ａ）、（ｂ）及び図２（ａ）に示すように、少なくとも四周を囲むように設けられた桟材１２，１２，１３，１４を有したパネル芯材１０のパネル厚さ方向両側に面材２，２を設けた構成とされている。つまり、パネル１は、中実板状ではなく、中空状のパネル芯材１０のパネル厚さ方向両側に面材２，２を設けたいわゆるフラッシュパネル状とされている。このような構成とすれば、無垢材等からなるパネルに比べて軽量化を図ることができる。
また、パネル１は、桟材１２，１５，１６によって区画されたパネル内空間７に、コア材配置領域９と、コア材１９を配置していないコア材非配置領域８と、を設けた構成とされている。
【００１１】
また、このパネル１は、一方向に長尺な略矩形平板状とされている。本実施形態では、このパネル１を、上下方向に長尺状とされ、パネル幅方向一方側端部にハンドル６が設けられた建具としての開き戸を構成するものとしている。なお、パネル１としては、開き戸を構成するものに限られず、折戸や引戸、間仕切を構成するものでもよい。また、パネル１としては、住居等の建物の壁体を貫通するように設けられた出入口を開閉するものに限られず、収納体の開口を開閉するものでもよい。また、パネル１としては、建具の一部、例えば、框状パネルの框部や鏡板部を構成するように用いられるものでもよく、家具構成部材等として用いられるものでもよく、その他、種々の箇所に用いられるものでもよい。
【００１２】
なお、当該パネル１の用途に応じて、ハンドル６に代えて、引手や手掛部を設けたり、また、上端部にランナー等の被ガイド部材を設けたり、下端部にガイド溝や戸車を設けたりしてもよい。
また、このパネル１の高さ寸法（長さ寸法）は、出入口を開閉する建具として用いられる場合には、例えば、１８００ｍｍ〜２１００ｍｍ程度でもよいが、床から天井までの天井高と略同高さ、例えば、２４００ｍｍ〜３０００ｍｍ程度としてもよい。また、パネル１のパネル幅寸法は、出入口の開口幅に応じた寸法でもよく、例えば、６００ｍｍ〜１５００ｍｍ程度でもよい。また、パネル１のパネル厚さ寸法は、例えば、２０ｍｍ〜４０ｍｍ程度でもよい。
【００１３】
パネル芯材１０は、図１（ｂ）及び図２（ａ）に示すように、四周を囲むように設けられた桟材を構成する四周枠１１を備えている。この四周枠１１は、パネル幅方向両側を区画するパネル長手方向に延びる一対の縦桟材１２，１２と、パネル長手方向両側を区画しパネル幅方向に延びる横桟材を構成する上桟材１３及び下桟材１４と、を備えている。図例では、一対の縦桟材１２，１２のそれぞれを一本材からなるものとした例を示しているが、パネル幅方向に複数の縦桟材を隣接させて接合された構成とされたものでもよい。また、これら両側の縦桟材１２，１２は、複数の縦桟材がパネル高さ方向（パネル長手方向）に接合されて形成されたものでもよい。また、図例では、これら両側の縦桟材１２，１２と上桟材１３及び下桟材１４とを縦勝状に接合した例を示しているが、横勝状に接合した構成としてもよい。
【００１４】
また、本実施形態では、パネル芯材１０に、パネル内空間７をパネル長手方向に複数に区画するように横桟材を構成する中桟材１６を設けた構成としている。図例では、パネル長手方向に間隔を空けて設けられた３本の中桟材１６，１６，１６によって４つのパネル内空間７，７，７，７をパネル芯材１０に設けた構成としている。図例では、各パネル内空間７，７，７，７の上下方向（パネル長手方向）に沿う寸法が略同寸法となるように、略等間隔を空けて中桟材１６，１６，１６を設けた例を示している。
また、上桟材１３の下方側及び下桟材１４の上方側のそれぞれに、パネル幅方向に延びる横桟材１５，１５を積み重ねるように設けた構成としている。上桟材１３と横桟材１５とを含んで上桟材として把握するようにしてもよく、また、下桟材１４と横桟材１５とを含んで下桟材として把握するようにしてもよい。これら縦桟材１２、上桟材１３、下桟材１４、横桟材１５及び中桟材１６は、いずれも四角柱状とされている。
【００１５】
また、図例では、下端側の横桟材１５のパネル幅方向両端部の上方側に、戸車等の下地を構成する下地材１７，１７を設けた例を示している。また、パネル幅方向一方側（戸先側）の縦桟材１２の長手方向途中部位に、ハンドル６等の下地を構成する下地材１８を設けた例を示している。
これら縦桟材１２、上桟材１３、下桟材１４、横桟材１５、中桟材１６及び下地材１７，１８並びに後記するコア材１９は、パネル厚さ方向に沿う寸法が互いに略同寸法とされ、パネル厚さ方向両面が互いに同一平面状となるように設けられている。
【００１６】
また、これら縦桟材１２、上桟材１３、下桟材１４、横桟材１５、中桟材１６及び下地材１７，１８は、木質系材料や合成樹脂系材料、金属系材料から形成されたものでもよく、複合材料から形成されたものでもよい。また、縦桟材１２、上桟材１３、下桟材１４、横桟材１５、中桟材１６及び下地材１７，１８の全てが同材料から形成されたものに限られず、複数種の材料から形成されたものでもよい。例えば、四周枠１１を構成する縦桟材１２、上桟材１３及び下桟材１４を、合板やＬＶＬ（単板積層材）等の木質積層板から形成されたものとしてもよい。また、横桟材１５、中桟材１６及び下地材１７，１８を、ＰＢ（パーティクルボード）等の木質ボードやＭＤＦ（中密度繊維板）等の木質繊維板から形成されたものとしてもよい。
【００１７】
また、木質系材料としては、合成樹脂系材料に、木粉や無機フィラー、相溶化剤、着色剤などを所定の含有割合で含有させた木粉・プラスチック複合材（ＷＰＣ）であってもよい。また、図例では、縦桟材１２、上桟材１３、下桟材１４、横桟材１５及び中桟材１６の桟材長手方向及びパネル厚さ方向に直交する桟材幅方向に沿う寸法を、互いに略同寸法とした例を示しているが、このような態様に限られない。また、四周枠１１内に配される横桟材１５や中桟材１６、下地材１７，１８としては、図例のような配置態様に限られず、その他、種々の変形が可能である。
【００１８】
コア材配置領域９は、図１（ｂ）に示すように、パネル長手方向に対向する横桟材１５，１６間に架け渡すようにコア材１９を配した構成とされている。また、コア材非配置領域８は、このコア材配置領域９のパネル幅方向少なくとも一方側に設けられている。このような構成とすれば、反りの抑制が可能でありながらも、合理化を図ることができる。つまり、コア材１９がパネル長手方向に沿って設けられることとなる。これにより、このコア材１９によってコア材１９のパネル厚さ方向両側に貼着された面材２，２のパネル長手方向に沿う反り（縦反り）が規制され、縦桟材１２の縦反りも規制されてパネル１全体の縦反りを効果的に抑制することができる。また、コア材非配置領域８を設けているので、従来のようにパネル内空間７の略全域に亘ってコア材１９を配置したものと比べて、コア材１９の量を減らすことができ、合理化を図ることができる。また、コア材１９及びこれに塗布される接着剤の量を低減することができ、製造効率を向上させることができる。
【００１９】
本実施形態では、上記のように複数に区画されたそれぞれのパネル内空間７にコア材配置領域９及びコア材非配置領域８を設けた構成としている。つまり、上側の横桟材１５とこれに対向する中桟材１６との間、対向する中桟材１６，１６同士の間、及び下側の横桟材１５とこれに対向する中桟材１６との間のそれぞれにパネル長手方向に架け渡すようにコア材１９を設けた構成としている。このような構成とすれば、中桟材１６によってパネル幅方向に沿う反り（幅反り）を抑制することができる。また、軽量化を図りながらも、それぞれのパネル内空間７に設けられたコア材１９によって縦反りを効果的に抑制することができる。
【００２０】
コア材１９は、パネル厚さ方向に見て外郭形状が略方形状とされている。このコア材１９のパネル長手方向に沿う寸法は、パネル内空間７のパネル長手方向に沿う寸法と略同寸法とされている。
このようなコア材１９としては、発泡ウレタン等の発泡樹脂系材料から成形された発泡成形体からなるものでもよいが、本実施形態では、パネル厚さ方向両側に開口する多数の中空筒状セル１９ａの集合体からなるハニカム状のコア材１９としている。つまり、コア材１９を、いわゆるペーパーコアとしている。
また、このようなコア材１９としては、段ボール原紙やクラフト紙等の紙材を接着剤で重積接着して形成されたものでもよい。また、コア材１９としては、このような紙材に、エポキシ樹脂等の補強用の樹脂を更に含浸させたものでもよく、その他、金属系材料や合成樹脂系材料から形成されたものでもよい。また、図例では、コア材１９の中空筒状セル１９ａを、蜂の巣状（六角状）とした例を示しているが、波型状とされたものや方形状とされたもの、円筒形状とされたもの等、種々のセル形状とされたものでもよい。
【００２１】
パネル内空間７においてコア材配置領域９が占める割合は、コア材１９の中空筒状セル１９ａのセルサイズ（セル径、セル幅）等の構成等に応じて縦反りを抑制する観点等から適宜の割合としてもよい。本実施形態では、コア材配置領域９は、パネル内空間７の２５％〜６０％を占めるように設けられている。このような構成とすれば、コア材配置領域９を、パネル内空間７の２５％未満や６０％超を占めるように設けたものと比べて、効果的に反りの抑制が可能でありながらも、より効果的に合理化を図ることができる。パネル内空間７においてコア材配置領域９が占める割合が少なくとも２５％（好ましくは３０％）程度であれば、パネル内空間７の略全体（例えば、８０％超）を占めるようにコア材配置領域９を設けたものと概ね同程度の縦反り量となることが期待できる。パネル内空間７においてコア材配置領域９が占める割合は、好ましくは３０％〜５０％程度としてもよい。
【００２２】
コア材１９は、パネル内空間７のパネル長手方向及びパネル厚さ方向の全体に亘って設けられている。そのため、コア材配置領域９がパネル内空間７の２５％〜６０％を占めるとは、コア材配置領域９のパネル幅方向に沿う寸法Ｗ２がパネル内空間７のパネル幅方向に沿う寸法（両縦桟材１２，１２間の寸法）Ｗ１の２５％〜６０％であるのと同義として把握するようにしてもよい。つまり、コア材配置領域９のパネル幅方向に沿う寸法Ｗ２を、好ましくは、パネル内空間７のパネル幅方向に沿う寸法Ｗ１の３０％〜５０％程度としてもよい。また、コア材配置領域９のパネル幅方向に沿う寸法Ｗ２は、図例のようにコア材１９のパネル幅方向両側部に凹凸がある場合には、最大幅の部分を指すものとしてもよい。図例では、コア材配置領域９のパネル幅方向に沿う寸法Ｗ２を、パネル内空間７のパネル幅方向に沿う寸法Ｗ１の略３／１０（３０％）とした例を示している。
【００２３】
また、本実施形態では、パネル幅方向中央側にコア材配置領域９を設け、このコア材配置領域９とパネル幅方向両側の縦桟材１２，１２との間にコア材非配置領域８，８を設けた構成としている。このような構成とすれば、パネル幅方向中央側に配されたコア材１９によって当該パネル１のパネル幅方向中央側部位における面剛性や耐圧性を向上させることができる。また、パネル幅方向で単一のコア材配置領域９が設けられることとなり、パネル幅方向に間隔を空けて複数のコア材配置領域９を設けたものと比べて、製造効率を向上させることができる。
【００２４】
また、本実施形態では、コア材配置領域９を、パネル幅方向中心線を対称軸として線対称状となるように設けた構成としている。このような構成とすれば、パネル幅方向一方側に片寄らせてコア材配置領域９を設けたようなものと比べて、反りを効果的に抑制することができる。
つまり、本実施形態では、パネル幅方向で単一のコア材配置領域９を、パネル幅方向中心に位置するように設けた構成としている。また、このコア材配置領域９のパネル幅方向両側に、パネル幅方向に沿う寸法が互いに略同寸法とされたコア材非配置領域８，８を設けた構成としている。なお、図例では、各パネル内空間７に設けられたコア材配置領域９のパネル幅方向に沿う寸法Ｗ２を互いに略同寸法とした例を示しているが、このような態様に限られない。
【００２５】
上記構成とされたパネル芯材１０のコア材１９を含むパネル厚さ方向両面に接着剤等を介して面材２，２が貼着されている。
本実施形態では、面材２，２は、図２（ａ）に示すように、複数層から構成されている。このような面材２，２としては、ボード状の基材４と、この基材４のパネル芯材１０側に設けられた防湿シート３と、基材４の表面側に設けられた化粧シート５と、を備えた構成とされたものでもよい。この場合、基材４としては、ＭＤＦ（中密度繊維板）等の木質系ボードやガラス繊維等の強化繊維シートを含んだ繊維強化樹脂層等によって構成されたものでもよい。また、化粧シート５としては、突板や樹脂シート等でもよい。
【００２６】
また、図例では、パネル芯材１０のパネル厚さ方向両面を覆う面材２，２を設けた例を示しているが、パネル１の四周表面（パネル厚さ方向両面及びパネル幅方向両側端面）が化粧面となるように、面材２をパネル芯材１０の四周表面に貼着した構成としてもよい。この場合、面材２は、裏面側のパネル芯材１０の角部に応じた位置に設けられた折曲溝において折り曲げられてパネル芯材１０に貼着されたものでもよい。また、この場合は、両側の縦桟材１２，１２の一方または両方に、面材２の端部が差し込まれる差込溝を設けた構成としてもよい。パネル芯材１０のパネル厚さ方向両側に設けられる面材２，２としては、その他、種々の変形が可能である。
【００２７】
次に、他の実施形態について、図面を参照しながら説明する。
なお、以下の各実施形態では、先に説明した実施形態との相違点について主に説明し、同様の構成については、同一の符号を付し、その説明を省略または簡略に説明する。
図２（ｂ）は、第２実施形態に係るパネル１Ａが備えるパネル芯材１０Ａの一例を模式的に示す図である。なお、図２（ｂ）では、パネル芯材１０Ａのみを示しているが、上記同様、パネル芯材１０Ａの少なくともパネル厚さ方向両側には、面材２，２が設けられる。
【００２８】
本実施形態では、図２（ｂ）に示すように、上記同様にパネル芯材１０Ａに複数設けられたそれぞれのパネル内空間７に、パネル幅方向に間隔を空けて複数のコア材配置領域９Ａを設けた構成としている。図例では、各パネル内空間７に、２つのコア材配置領域９Ａを設けた構成としている。また、これらパネル幅方向両側のコア材配置領域９Ａ，９Ａのそれぞれのパネル幅方向外側にコア材非配置領域８Ａ，８Ａを設けた構成としている。つまり、パネル幅方向両側が両側の縦桟材１２，１２によって区画された各パネル内空間７のパネル幅方向の３か所にコア材非配置領域８Ａ，８Ａ，８Ａを設けた構成としている。
また、上記同様、コア材配置領域９Ａ，９Ａを、パネル幅方向中心線を対称軸として線対称状となるように設けた構成としている。
【００２９】
これらパネル幅方向両側のコア材配置領域９Ａ，９Ａ（コア材１９Ａ，１９Ａ）のパネル幅方向に沿う寸法Ｗ２Ａ，Ｗ２Ａを足し合わせた寸法は、上記同様、パネル内空間７のパネル幅方向に沿う寸法Ｗ１の２５％〜６０％とされている。図例では、パネル幅方向両側のコア材配置領域９Ａ，９Ａのパネル幅方向に沿う寸法Ｗ２Ａ，Ｗ２Ａを足し合わせた寸法を、パネル内空間７のパネル幅方向に沿う寸法Ｗ１の略４５％とした例を示している。
また、パネル幅方向両側のコア材配置領域９Ａ，９Ａのパネル幅方向に沿う寸法Ｗ２Ａ，Ｗ２Ａを、互いに略同寸法としている。また、コア材非配置領域８Ａ，８Ａ，８Ａの各パネル幅方向に沿う寸法を、互いに略同寸法としている。
【００３０】
なお、図例では、各パネル内空間７に設けられたコア材配置領域９Ａのパネル幅方向に沿う寸法Ｗ２Ａを互いに略同寸法とした例を示しているが、このような態様に限られない。
また、パネル幅方向両側のコア材配置領域９Ａ，９Ａ（コア材１９Ａ，１９Ａ）の両方または一方を、後記する第３実施形態のように、縦桟材１２に当接または近接させた構成としてもよい。つまり、パネル幅方向両側のコア材非配置領域８Ａ，８Ａのうちの両方または一方を設けていない構成としてもよい。また、各パネル内空間７に、同数のコア材配置領域９Ａを設けた例を示しているが、このような態様に限られない。
【００３１】
図３（ａ）、（ｂ）は、第３実施形態に係るパネル１Ｂ及びこれが備えるパネル芯材１０Ｂの一例を模式的に示す図である。
本実施形態では、図３（ａ）、（ｂ）に示すように、パネル１Ｂに、透光部２０を設けた構成としている。この透光部２０は、パネル厚さ方向に沿う寸法がパネル１Ｂの厚さ寸法と同寸法とされたものでもよく、パネル１Ｂの厚さ寸法よりも小とされたものでもよい。
また、この透光部２０を、コア材非配置領域８Ｂに位置するように設けた構成としている。図例では、透光部２０を、パネル幅方向略中央に位置するように設けた例を示している。また、図例では、複数（図例では、４つ）の透光部２０を、パネル高さ方向に間隔を空けて設けた例を示している。また、図例では、これら複数の透光部２０を、パネル高さ方向に略等間隔を空けてパネル１Ｂの上側半部に設けた例を示している。また、図例では、透光部２０を、パネル厚さ方向に見て略方形状とした例を示しているが、このような態様に限られず、例えば、略円形状等としてもよい。
【００３２】
また、本実施形態では、図３（ｂ）に示すように、上記第２実施形態と概ね同様、パネル芯材１０Ｂに複数設けられたそれぞれのパネル内空間７に、パネル幅方向に間隔を空けて複数のコア材配置領域９Ｂを設けた構成としている。図例では、各パネル内空間７に、２つのコア材配置領域９Ｂを設けた構成としている。また、これらパネル幅方向両側のコア材配置領域９Ｂ，９Ｂ（コア材１９Ｂ，１９Ｂ）のそれぞれを、両側の縦桟材１２，１２に当接させた構成としている。つまり、パネル幅方向両側のコア材配置領域９Ｂ，９Ｂの間にコア材非配置領域８Ｂを設け、各コア材配置領域９Ｂ，９Ｂのパネル幅方向外側にはコア材非配置領域８Ｂを設けていない構成としている。また、上記同様、コア材配置領域９Ｂ，９Ｂを、パネル幅方向中心線を対称軸として線対称状となるように設けた構成としている。
【００３３】
これらパネル幅方向両側のコア材配置領域９Ｂ，９Ｂ（コア材１９Ｂ，１９Ｂ）のパネル幅方向に沿う寸法Ｗ２Ｂ，Ｗ２Ｂを足し合わせた寸法は、上記同様、パネル内空間７のパネル幅方向に沿う寸法Ｗ１Ａの２５％〜６０％とされている。図例では、上記第２実施形態と概ね同様、パネル幅方向両側のコア材配置領域９Ｂ，９Ｂのパネル幅方向に沿う寸法Ｗ２Ｂ，Ｗ２Ｂを足し合わせた寸法を、パネル内空間７のパネル幅方向に沿う寸法Ｗ１Ａの略４５％とした例を示している。また、上記第２実施形態と同様、パネル幅方向両側のコア材配置領域９Ｂ，９Ｂのパネル幅方向に沿う寸法Ｗ２Ｂ，Ｗ２Ｂを、互いに略同寸法とした例を示しているが、このような態様に限られない。
また、図例では、パネル１Ｂを、上記各実施形態と比べて、高さ寸法に対する幅寸法の割合を大（幅広状）とした例を示している。また、図例では、パネル芯材１０Ｂの上桟材１３の下方側に、複数（図例では、２つ）の横桟材１５，１５を設けた例を示している。また、横桟材１５及び中桟材１６の桟材幅方向に沿う寸法を、上桟材１３及び下桟材１４の桟材幅方向に沿う寸法よりも小とした例を示している。
【００３４】
図４（ａ）は、第４実施形態に係るパネル１Ｃが備えるパネル芯材１０Ｃの一例を模式的に示す図である。なお、図４（ａ）、（ｂ）では、パネル芯材１０Ｃ，１０Ｄのみを示しているが、上記同様、パネル芯材１０Ｃ，１０Ｄの少なくともパネル厚さ方向両側には、面材２，２が設けられる。
本実施形態では、図４（ａ）に示すように、パネル芯材１０Ｃの構成が上記各実施形態とは主に異なる。このパネル芯材１０Ｃは、パネル幅方向両側の縦桟材１２，１２からそれぞれパネル幅方向内方側に間隔を空けて設けられ、パネル高さ方向に延びる外側縦桟材２２，２２を備えている。これら外側縦桟材２２，２２は、上桟材１３の下方側の横桟材１５と下桟材１４の上方側の横桟材１５との間に亘って設けられている。これら外側縦桟材２２，２２と縦桟材１２，１２との間のパネル幅方向に沿う寸法は、比較的に小とされており、例えば、パネル１Ｃの幅寸法の２５％以下の寸法であってもよい。換言すれば、これら外側縦桟材２２，２２間に設けられたパネル内空間７のパネル幅方向に沿う寸法Ｗ１Ｂがパネル１Ｃの幅寸法の５０％以上の寸法であってもよい。また、これら外側縦桟材２２，２２と縦桟材１２，１２との間には、コア材１９Ｃを配置していない例を示しているが、コア材１９Ｃを配置してもよい。また、これら外側縦桟材２２，２２の上端側部位間に架け渡すように上端中桟材１６Ａを設けた構成としている。また、これら外側縦桟材２２，２２と縦桟材１２，１２との間に架け渡すように、複数（図例では、３つ）の端部横桟材２１をパネル高さ方向に間隔を空けて設けた例を示している。
【００３５】
また、パネル芯材１０Ｃは、これら外側縦桟材２２，２２のパネル幅方向中央側に沿うように設けられた内側縦桟材２３，２３と、これら内側縦桟材２３，２３に沿ってパネル高さ方向に延びるように設けられた金属製の縦補強材２４，２４と、を備えている。このような構成とすれば、パネル幅方向両側における縦反りを軽減することができる。
図例では、内側縦桟材２３，２３及び縦補強材２４，２４の長さ寸法を、外側縦桟材２２，２２よりも小とした例を示している。また、これら内側縦桟材２３，２３及び縦補強材２４，２４を、最上端側の上端中桟材１６Ａと下桟材１４の上方側の横桟材１５との間に亘って設けた構成としている。つまり、縦補強材２４，２４を、下方側に片寄らせて設けた例を示している。なお、このような態様に代えて、縦補強材２４，２４を、上方側に片寄らせて設けた態様としてもよい。さらには、内側縦桟材２３，２３及び縦補強材２４，２４の長さ寸法を、外側縦桟材２２，２２の長さ寸法と略同寸法としてもよい。また、縦補強材２４，２４としては、内側縦桟材２３，２３の被嵌入部が嵌め入れられる嵌入溝を区画する溝形鋼状とされたものでもよい。図例では、縦補強材２４，２４を、外側縦桟材２２，２２と内側縦桟材２３，２３とによって挟むように保持させた例を示しているが、このような態様に限られない。
【００３６】
また、内側縦桟材２３，２３間に架け渡すように複数（図例では、３つ）の中桟材１６Ｂを設けた構成としている。また、図例では、これら上端中桟材１６Ａ及び複数の中桟材１６Ｂによってパネル高さ方向に複数に区画されたパネル内空間７のパネル高さ方向に沿う寸法を、略同寸法としていない例を示している。図例では、上端側のパネル内空間７のパネル高さ方向に沿う寸法を、最小とし、その下方側の２つのパネル内空間７のパネル高さ方向に沿う寸法を、これらよりも更に下方側に位置する２つのパネル内空間７のパネル高さ方向に沿う寸法よりも小とした例を示している。
また、本実施形態では、第１実施形態と同様、各パネル内空間７のパネル幅方向中央側にコア材配置領域９Ｃ（コア材１９Ｃ）を設け、それぞれの両側にコア材非配置領域８Ｃ，８Ｃを設けた構成としている。つまり、最上端側のパネル内空間７は、コア材配置領域９Ｃと両側の外側縦桟材２２，２２との間にそれぞれコア材非配置領域８Ｃ，８Ｃを設けた構成とされている。また、その他の下方側のパネル内空間７は、コア材配置領域９Ｃと両側の内側縦桟材２３，２３との間にそれぞれコア材非配置領域８Ｃ，８Ｃを設けた構成とされている。
また、上記同様、コア材配置領域９Ｃを、パネル幅方向中心線を対称軸として線対称状となるように設けた構成としている。
【００３７】
また、コア材配置領域９Ｃ（コア材１９Ｃ）のパネル幅方向に沿う寸法Ｗ２Ｃは、上記同様、パネル内空間７のパネル幅方向に沿う寸法Ｗ１Ｂの２５％〜６０％とされている。なお、図例では、パネル内空間７のパネル幅方向に沿う寸法Ｗ１Ｂを、下方側のパネル内空間７のパネル幅方向に沿う寸法として示しているが、最上端側のパネル内空間７のパネル幅方向に沿う寸法に対しても同様である。つまり、コア材配置領域９Ｃのパネル幅方向に沿う寸法Ｗ２Ｃは、最上端側のパネル内空間７のパネル幅方向に沿う寸法の２５％〜６０％とされている。なお、パネル内空間７のパネル幅方向に沿う寸法を、両縦桟材１２，１２間の寸法として把握し、コア材配置領域９Ｃのパネル幅方向に沿う寸法Ｗ２Ｃを、両縦桟材１２，１２間の寸法の２５％〜６０％としてもよい。
【００３８】
図４（ｂ）は、第５実施形態に係るパネル１Ｄが備えるパネル芯材１０Ｄの一例を模式的に示す図である。
本実施形態では、上記第４実施形態と同様、パネル芯材１０Ｄに、外側縦桟材２２，２２、内側縦桟材２３，２３及び縦補強材２４，２４を設けた構成としている。
また、本実施形態では、第３実施形態と概ね同様、各パネル内空間７に、２つのコア材配置領域９Ｄ，９Ｄを設けた構成としている。つまり、パネル幅方向両側のコア材配置領域９Ｄ，９Ｄの間にコア材非配置領域８Ｄを設けた構成としている。また、最上端側のパネル内空間７のパネル幅方向両側のコア材配置領域９Ｄ，９Ｄ（コア材１９Ｄ，１９Ｄ）のそれぞれを、パネル内空間７のパネル幅方向両側を区画する各外側縦桟材２２，２２に当接させた構成としている。また、その他の下方側のパネル内空間７のパネル幅方向両側のコア材配置領域９Ｄ，９Ｄ（コア材１９Ｄ，１９Ｄ）のそれぞれを、各パネル内空間７のパネル幅方向両側を区画する各内側縦桟材２３，２３に当接させた構成としている。また、上記同様、コア材配置領域９Ｄ，９Ｄを、パネル幅方向中心線を対称軸として線対称状となるように設けた構成としている。
【００３９】
また、本実施形態では、パネル幅方向両側のコア材配置領域９Ｄ，９Ｄ（コア材１９Ｄ，１９Ｄ）のパネル幅方向に沿う寸法Ｗ２Ｄ，Ｗ２Ｄを足し合わせた寸法を、パネル内空間７のパネル幅方向に沿う寸法Ｗ１Ｂの７０％程度とした例を示している。なお、図例では、パネル内空間７のパネル幅方向に沿う寸法Ｗ１Ｂを、下方側のパネル内空間７のパネル幅方向に沿う寸法として示しているが、最上端側のパネル内空間７のパネル幅方向に沿う寸法に対しても同様である。また、このような態様に代えて、上記同様、両側のコア材配置領域９Ｄ，９Ｄのパネル幅方向に沿う寸法Ｗ２Ｄ，Ｗ２Ｄを足し合わせた寸法を、パネル内空間７のパネル幅方向に沿う寸法Ｗ１Ｂの２５％〜６０％としてもよい。また、パネル内空間７のパネル幅方向に沿う寸法を、両縦桟材１２，１２間の寸法として把握し、両側のコア材配置領域９Ｄ，９Ｄのパネル幅方向に沿う寸法Ｗ２Ｄ，Ｗ２Ｄを足し合わせた寸法を、両縦桟材１２，１２間の寸法の２５％〜６０％としてもよい。
【００４０】
なお、上記各実施形態において説明した互いに異なる構成の一部を組み替えたり、組み合わせたりして適用するようにしてもよい。
また、上記各実施形態では、コア材配置領域９，９Ａ〜９Ｄを、パネル幅方向中心線を対称軸として線対称状となるように設けた例を示しているが、このような態様に限られない。また、上記各実施形態では、パネル長手方向に複数に区画されたパネル内空間７のそれぞれにコア材配置領域９，９Ａ〜９Ｄを設けた例を示しているが、このような態様に限られない。また、上記各実施形態に係るパネル１，１Ａ〜１Ｄの上記した各部材及び各部の構成は、一例に過ぎず、その他、種々の変形が可能である。
【符号の説明】
【００４１】
１，１Ａ〜１Ｄ        パネル
２                    面材
１０，１０Ａ〜１０Ｄ  パネル芯材
１２                  縦桟材（桟材）
１３                  上桟材（桟材、横桟材）
１４                  下桟材（桟材、横桟材）
１５                  横桟材（桟材、横桟材）
１６，１６Ｂ          中桟材（桟材、横桟材）
１６Ａ                上端中桟材（桟材、横桟材）
１９，１９Ａ〜１９Ｄ  コア材
７                    パネル内空間
８，８Ａ〜８Ｄ        コア材非配置領域
９，９Ａ〜９Ｄ        コア材配置領域
【図１】
2020158229.tif 000003
【図２】
2020158229.tif 000004
【図３】
2020158229.tif 000005
【図４】
2020158229.tif 000006
【国際調査報告】
2020158229.tif 000007
2020158229.tif 000008
2020158229.tif 000009
2020158229.tif 000010